(57)【要約】【課題】  カラオケ装置が複数のリモコン端末装置と接続し、利用単位を特定するセッションで対応付けるカラオケシステムにおいて、カラオケ演奏が開始された後であっても、カラオケ演奏の邪魔をすることなく途中参加者の多機能携帯端末をカラオケのリモコンとして速やかに使えるようにする。【解決手段】  後から参加した多機能携帯端末が、速やかにカラオケ装置とペアリングできるように、カラオケ識別情報をカラオケ装置からだけでなく、既にペアリング済みの他の多機能携帯端末からネットワーク以外の方法で得ることができるようにするというものである。【選択図】図２
2015055753.tif 000002
【特許請求の範囲】
【請求項１】
複数のカラオケ装置が特定のネットワークを経由して、個々の前記カラオケ装置とカラオケ装置を操作する任意数のリモコン端末装置とを接続し、利用単位を特定するセッションで対応付けるネットワークカラオケシステムであって、
当該カラオケ装置を特定するためのカラオケ装置ＩＤと当該カラオケ装置におけるその時点で有効なセッションＩＤ、ネットワーク識別情報を含むカラオケ識別情報を当該ネットワーク以外の方法でリモコン端末装置に渡し、
前記リモコン端末装置から、当該カラオケ識別情報にリモコンＩＤを付加したリモコン識別情報を当該ネットワーク経由でカラオケ装置に送信して、
当該カラオケ装置は受信したリモコン識別情報に基づいて、特定された前記リモコン端末装置と前記カラオケ装置とのペアリングを確立するネットワークカラオケシステムにおいて、
未ペアリング状態のリモコン端末装置が、有効なセッションＩＤを含むカラオケ識別情報をペアリング済みのリモコン端末装置から当該ネットワーク以外の方法で受け取り、当該カラオケ識別情報にリモコンＩＤを付加したリモコン識別情報を当該ネットワーク経由でカラオケ装置に送信して、
当該カラオケ装置は受信した未ペアリング状態のリモコン端末装置のリモコン識別情報に基づいて、特定された前記リモコン端末装置と前記カラオケ装置とのペアリングを確立することを特徴とするネットワークカラオケシステム。
【請求項２】
複数のカラオケ装置が特定のネットワークを経由して、個々の前記カラオケ装置とカラオケ装置を操作する任意数のリモコン端末装置とを接続し、利用単位を特定するセッションで対応付けるネットワークカラオケシステムであって、
当該カラオケ装置を特定するためのカラオケ装置ＩＤと当該カラオケ装置におけるその時点で有効なセッションＩＤ、ネットワーク識別情報を含むカラオケ識別情報を当該ネットワーク以外の方法でリモコン端末装置に渡し、
前記リモコン端末装置から、当該カラオケ識別情報にリモコンＩＤを付加したリモコン識別情報を当該ネットワーク経由でカラオケ装置に送信して、
当該カラオケ装置は受信したリモコン識別情報に基づいて、特定された前記リモコン端末装置と前記カラオケ装置とのペアリングを確立するネットワークカラオケシステムにおいて、
未ペアリング状態のリモコン端末装置が、有効なセッションＩＤを含むカラオケ識別情報をペアリング済みのリモコン端末装置から当該ネットワーク以外の方法で受け取り、当該カラオケ識別情報にリモコンＩＤを付加したリモコン識別情報を当該ネットワーク経由でカラオケ装置に送信して、
当該カラオケ装置は受信した未ペアリング状態のリモコン端末装置のリモコン識別情報に基づいて、特定された前記リモコン端末装置と前記カラオケ装置とのペアリングを確立する当該カラオケ装置とのペアリングを確立することを特徴とするカラオケ装置とリモコン端末装置のペアリング方法。
【請求項３】
複数のカラオケ装置が特定のネットワークを経由して、個々の前記カラオケ装置とカラオケ装置を操作する任意数のリモコン端末装置とを接続し、利用単位を特定するセッションで対応付けるネットワークカラオケシステムであって、
当該カラオケ装置を特定するためのカラオケ装置ＩＤと当該カラオケ装置におけるその時点で有効なセッションＩＤ、ネットワーク識別情報を含むカラオケ識別情報を当該ネットワーク以外の方法でリモコン端末装置に渡し、
前記リモコン端末装置から、当該カラオケ識別情報にリモコンＩＤを付加したリモコン識別情報を当該ネットワーク経由でカラオケ装置に送信して、
当該カラオケ装置は受信したリモコン識別情報に基づいて、特定された前記リモコン端末装置と前記カラオケ装置とのペアリングを確立するネットワークカラオケシステムにおいて、
未ペアリング状態のリモコン端末装置が、有効なセッションＩＤを含むカラオケ識別情報をペアリング済みのリモコン端末装置から当該ネットワーク以外の方法で受け取り、前記リモコン端末装置から、当該カラオケ識別情報にリモコンＩＤを付加してたリモコン識別情報を当該ネットワーク経由でカラオケ装置に送信し、
当該カラオケ装置は受信した未ペアリング状態のリモコン端末装置のリモコン識別情報に基づいて、特定された前記リモコン端末装置と前記カラオケ装置とのペアリングを確立することを特徴とするネットワークカラオケシステムにおけるリモコン端末装置として多機能携帯端末を使用できる多機能携帯端末のアプリケーションプログラム。
【発明の詳細な説明】
【技術分野】
【０００１】
本発明は、カラオケのリモコンとして動作する顧客の多機能携帯端末とカラオケ装置との間のペアリングを、顧客の入店から退出までの間の利用単位（セッション単位）のみで利用できるネットワークシステムの技術に関するものである。
【背景技術】
【０００２】
最近のカラオケシステムは、高機能化が著しく、便利になって来ている反面、操作が複雑になってきており、これに伴いリモコンも高機能化してきている。
特にカラオケルームに設置してある専用のリモコンは、ボタン類が多く使い方がよくわからないなどの問題があった。そのため、使い慣れていないとボタン操作に時間がかかって歌う時間が少なくなってしまうことも多かった。
【０００３】
一方で、誰もが携帯電話を持つ時代となり、さらにスマートホン等の普及により、これら携帯電話に各種ソフトウエアを入れて楽しむ人も増えている。スマートホンのソフトウエア開発環境も充実してきており、開発者も増えてきている。
【０００４】
そこで、使い慣れた自分の多機能携帯端末等を使ってカラオケの操作を行いたいという要望が生じてきた。またカラオケの専用リモコンは業務用のため高価なものであり、カラオケ店としても、専用リモコンを設置する必要がなくなれば経費の節約になり、またリモコンの盗難防止、保守といった管理作業もなくなるため店にも喜ばれる。
【０００５】
そこで、顧客の多機能携帯端末等をカラオケのリモコンとして使用する提案が各社から行われている。（特許文献１）
【０００６】
上記のような対応を行った既存のカラオケ装置は、カラオケ室の表示装置にそのカラオケ装置固有の識別情報（二次元コードなど）が表示され、これを多機能携帯端末で撮影することで、そのカラオケ装置固有の識別情報を読み取り、その多機能携帯端末とカラオケ装置を「ペアリング」することにより当該カラオケ装置のリモコンとして使用できるようになるのが一般的である。
【０００７】
しかし、カラオケ演奏が開始されたあとで、別の多機能携帯端末を持った顧客が参加しようとする場合、二次元コードが表示装置に表示されている必要がある。
【先行技術文献】
【特許文献】
【０００８】
【特許文献１】特開２０１３−１１４０１２号公報
【発明の概要】
【発明が解決しようとする課題】
【０００９】
特許文献１は、選曲予約用リモコン装置として利用するパーソナル携帯端末とカラオケ演奏端末とのペアリングを適切に管理することにより、悪戯等による選曲予約操作が行われないようにして、選曲予約操作が混乱することを防止する。
ペアリングの際、ペアリング情報を表示装置の表示画面に表示される。しかし、演奏開始後、他の人が多機能携帯端末をペアリングしようとした場合の記述はない。
【００１０】
本発明は、これらの点に鑑み、カラオケ演奏中であっても、カラオケ演奏の邪魔をすることなく途中参加者の多機能携帯端末をカラオケのリモコンとして速やかに使えるようにするというものである。
【課題を解決するための手段】
【００１１】
上記目的を達成するため本発明の請求項１は、後から参加した多機能携帯端末が、速やかにカラオケ装置とペアリングできるように、必要な情報をカラオケ表示装置からでなく、既に利用中の他の多機能携帯端末から得ることができるというものである。
顧客のカラオケ利用単位として「セッション」を定義し、カラオケ利用開始時にセッションＩＤを通知し、終了時にこれを無効化する手段を設け、顧客のカラオケ利用開始時にセッションＩＤを含むカラオケ識別情報をネットワーク経由以外のアドホックな接続で顧客の多機能携帯端末等に伝達し、当該カラオケ識別情報にリモコンＩＤを付加したリモコン識別情報をネットワーク経由でカラオケ装置に送信し、当該カラオケ装置は受信したリモコン識別情報に基づいて、その多機能携帯端末等とカラオケ室にあるカラオケ装置とペアリングを行うことにより、顧客の多機能携帯端末等がセッション終了までの間、その特定のカラオケ装置のみと通信できるリモコン装置となるシステムにおいて、後から参加した多機能携帯端末が、速やかにカラオケ装置とペアリングできるように、カラオケ識別情報をカラオケ装置からだけでなく、既にペアリング済みの他の多機能携帯端末からネットワーク経由以外のアドホックな接続によって得ることができるネットワークカラオケシステムである。
【００１２】
また、本発明の請求項２は、上記請求項１に示されるネットワークカラオケシステムのペアリング方法に係る発明である。
また本発明の請求項３は、請求項１乃至請求項２を実現するための多機能携帯端末のアプリケーションプログラムに係る発明である。
【００１３】
また、上記アドホックな接続手段としては、バーコードや赤外線等の光学的手段のほか、スピーカやマイクを使用した音響的手段、FeliCa（登録商標）、RFID、TransferJet（登録商標）などの非接触のNFC(Near field communication) 、Bluetooth（登録商標）、
ZigBee（登録商標）、Wireless USB（登録商標）に代表される近距離無線通信などでもよく、また公衆無線ＬＡＮや多機能携帯端末同士による携帯電話のネットワークを経由した手段などによるものであってもよい。
【図面の簡単な説明】
【００１４】
【図１】本発明の一実施例を示すネットワーク接続を示す説明図。
【図２】本発明の一実施例を示すカラオケ演奏中のペアリング方法を示す説明図。
【発明を実施するための形態】
【００１５】
次に図１のネットワーク接続図によって、本発明の多機能携帯端末４とカラオケ装置１の接続技術を説明する。
店舗内にはセンターからの通信回線と接続するルータ５があり、ルータ５にはアクセスポイント８を経由して無線の受付端末装置２と、カラオケ室のカラオケ装置１が接続されている。またリモコンとなる多機能携帯端末４がアクセスポイント９を経由してルータ５に接続されている。
顧客はカラオケ利用開始時に、セッションＩＤを含むカラオケ識別情報を２次元コードなどネットワーク以外の方法で受け取り、自ら保有する多機能携帯電話４に読み込ませる。その上で顧客は、自分の多機能携帯端末４と当該カラオケ装置１との間でペアリングを行い、当該多機能携帯端末４は当該カラオケ装置専用のリモコン装置となり、当該カラオケ装置１を制御できるようになる。
カラオケの利用が終了したときには、店員はカラオケ室のカラオケ端末１または受付端末装置２を操作し、セッションＩＤを更新することにより、元のセッションＩＤでペアリングしている顧客の多機能携帯端末４とカラオケ装置１とのペアリングは解消され、もはや顧客の多機能携帯端末４では、店のカラオケ装置１を制御できなくなる。
【００１６】
次に図２で、カラオケ装置１を使用して演奏が始まっているところに、多機能携帯端末１３を持ったユーザが途中から参加した場合を説明する。（１）で多機能携帯端末４はカラオケ識別情報を表示装置６から得て、（２）でカラオケ装置１とのペアリングが完了している。
その後、多機能携帯端末１３を持ったユーザが参加したとき、演奏が始まっている為、標示装置６には二次元コードが表示されていないことが想定される。表示装置６の端に表示する方法もあるが、演奏画面の妨げになり、またこれを多機能携帯端末のカメラで撮影することは歌唱者に迷惑となるケースもあるため、表示装置へ表示しない方がよい。
本発明では、表示装置６ではなく既にペアリング済みの表示装置４の画面に（１）で読みとったカラオケ識別情報（二次元コード）が表示される。（３）これを多機能携帯端末１３で、撮像し、カラオケ装置１のカラオケ識別情報を入手し、（４）アクセスポイント９を経由してカラオケ装置１とペアリングを行うことにより、多機能携帯端末１３もカラオケ装置１のリモコンとして利用できるようになる。
【符号の説明】
【００１７】
１…カラオケ装置
２…受付端末装置
３…リセットボタン
４…多機能携帯端末
５…ルータ
６…表示装置
７…ハブ
８…アクセスポイント
９…アクセスポイント
１１…店舗
１３…多機能携帯端末
【図１】
2015055753.tif 000003
【図２】
2015055753.tif 000004